(57)【要約】【課題】煩雑なスイッチ類の操作に煩わされることなく、従業員の退出が完了するまで監視機能が持続される退出安全確認装置を提供することを目的とする。【解決手段】操作スイッチ１の操作等により、屋外の退出口９近傍を照射するランプ３と、屋外の退出口９近傍を撮影するカメラ４と、該カメラ４に接続され室内に設置されたモニター５と、屋外の退出口９近傍に設置された非常スイッチ６とから構成されたことを特徴とする退出安全確認装置であり、操作スイッチの操作あるいは室内を消灯するだけの単純な操作のみで、退出時の安全確認と万一の非常時の通報動作が行える監視機能を維持することができて、煩雑なスイッチ操作に煩わされることがない。【選択図】  図１
2004318253.tif 000002
【特許請求の範囲】
【請求項１】
操作スイッチの押動によりあるいは屋内の消灯を検出して、屋外の退出口近傍を照射するランプと、屋外の退出口近傍を撮影するカメラと、該カメラに接続され室内に設置されたモニターと、屋外の退出口近傍に設置された非常スイッチとから構成されたことを特徴とする退出安全確認装置。
【請求項２】
前記非常スイッチの操作により、警報信号を防犯施設に送出するとともにスピーカーを鳴動させる通報部を具備することを特徴とする請求項１に記載の退出安全確認装置。
【請求項３】
前記非常スイッチが、無線電波等により前記通報部を作動させることが可能な携帯移動型に構成されたことを特徴とする請求項１または２に記載の退出安全確認装置。
【請求項４】
前記ランプ、カメラ、モニターおよびスピーカーの電源は、所定時間の経過後に切断されるように構成されたことを特徴とする請求項１から３のいずれかに記載の退出安全確認装置。
【請求項５】
前記携帯移動型の非常スイッチに、前記操作スイッチの機能を付加したことを特徴とする請求項３または４に記載の退出安全確認装置。
【発明の詳細な説明】
【０００１】
【発明の属する技術分野】
本発明は、終業時に屋内を消灯して店舗等から退出する際の安全確認装置に関する。特に屋内から屋外への退出時において、屋外に潜む不審者からの身の安全を守るのに有効である。
【０００２】
【従来の技術】
パチンコ等の遊戯施設やスーパー等の店舗にあっては、営業中には多数の照明器具によって、屋内は言うに及ばず、屋外までも明るく照らされていて、不審者の潜む余地はない。しかしながら、終業時に、最終の従業員が屋内を消灯して店舗等から退出する際には、退出口近傍も消灯されていて暗く、不審者が潜み易く、不意を襲われる可能性が高かった。そのため、従来は、監視カメラや自動点灯式のランプを屋外に設置していた。
【０００３】
【特許文献１】
特開平６−１５３０３２号公報（段落０００７）
【特許文献２】
特開２００２−３６７０４５号公報（段落００１１）
【０００４】
【発明が解決しようとする課題】
しかしながら、前記特許文献１に記載されたような監視カメラを有効に動作させるには、退出口近傍をランプ等により照射させる必要があるが、通常、ランプの点灯スイッチは屋内に設置されていて、屋内において屋外の安全を確認した後に退出する際には、該点灯スイッチの切断操作をする必要があった。この切断操作の後の退出時に不審者が潜む可能性もあった。そこで遅延スイッチの設置等も考えられるが、スイッチ類が増えて煩雑になりがちであった。また、前記特許文献２に記載されたような自動点灯式の屋外ランプの設置では、赤外線センサー等の照射範囲外に潜む不審者に対しては何らの効力を持たないものであった。
【０００５】
そこで本発明は、従来の退出時の安全確認装置の課題を解決して、煩雑なスイッチ類の操作に煩わされることなく、従業員の退出が完了するまで監視機能が持続される退出安全確認装置を提供することを目的とする。
【０００６】
【課題を解決するための手段】
このため本発明は、操作スイッチの押動によりあるいは屋内の消灯を検出して、屋外の退出口近傍を照射するランプと、屋外の退出口近傍を撮影するカメラと、該カメラに接続され室内に設置されたモニターと、屋外の退出口近傍に設置された非常スイッチとから構成されたことを特徴とする退出安全確認装置である。また本発明は、前記非常スイッチの操作により、警報信号を防犯施設に送出するとともにスピーカーを鳴動させる通報部を具備することを特徴とするものである。また本発明は、前記非常スイッチが、無線電波等により前記通報部を作動させることが可能な携帯移動型に構成されたことを特徴とする。また本発明は、前記ランプ、カメラ、モニターおよびスピーカーの電源は、所定時間の経過後に切断されるように構成されたことを特徴とする。また本発明は、前記携帯移動型の非常スイッチに、前記操作スイッチの機能を付加したことを特徴とするもので、これらを課題解決のための手段とするものである。
【０００７】
【実施の形態】
以下本発明の実施の形態を図面に基づいて説明する。図１は本発明の退出安全確認装置の第１実施の形態を示す概念図である。本発明における退出安全確認装置の基本的な構成は、図１に示すように、操作スイッチ１の押動により、屋外の退出口９近傍を照射するランプ３と、屋外の退出口９近傍を撮影するカメラ４と、該カメラ４に接続され室内に設置されたモニター５と、屋外の退出口９近傍に設置された非常スイッチ６とから構成されたことを特徴とする。
【０００８】
詳述すると、店舗等（太線四角）における退出口９近傍の屋内の壁面には、操作スイッチ１あるいは図示が省略された、消灯スイッチ（通常の点灯スイッチの消灯操作）に連動して操作されるスイッチ、もしくは屋内の照度を検出する照度センサーと、これらいずれかの操作あるいは消灯操作もしくは照明の消灯による照度センサーのゼロ検出によって電源を所定時間投入するタイマー２とが設置される。該タイマー２の電源回路には、退出口９を照射すべく屋外に設置されるハロゲンランプ等のランプ３および退出口９を撮影する監視用のカメラ４と屋内に設置されるテレビ等のモニター５が接続される。屋外のカメラ４と屋内のモニター５との間も接続コードあるいは無線等により接続される。
【０００９】
一方、退出口９近傍の屋外の壁面には、退出後に非常事態に遭遇した従業員等が操作できる非常スイッチ６と、該非常スイッチ６の操作によって鳴動動作するスピーカー７が設置される。これらの非常スイッチ６の操作に連動して防犯施設等に警報信号を送出する通報部８も設置される。なお、非常スイッチ６については、壁面に設置される固定型の他に、店舗等から離れた位置で不審者に襲われる場合も想定して、従業員が携帯できる無線型の移動スイッチ６’として構成することもできる。好適には、該移動スイッチ６’には、本体部分と対応すべき認証が指定されたＩＤが組み込まれて、他機の移動スイッチでの操作を排除できるように構成される。
【００１０】
以下、図１を参照しつつ図３を用いて、本発明の退出安全確認装置の制御フローを説明する。ステップＳ１にて操作スイッチ１の操作あるいは消灯スイッチに連動するスイッチ操作もしくはステップＳ２にて照明の消灯による照度センサーのゼロが検出されると、ステップＳ３にて屋外のランプ３が点灯する。次いで（あるいは同時に）ステップＳ４にて屋外のカメラが作動し、これに接続された屋内のモニター５も作動する。退出口９近傍における屋外の安全をモニター５で確認した従業員等は退出口９から退出する（ステップＳ６）。
【００１１】
ステップＳ７にて、屋外に退出した従業員が周囲の異常を感じることがなければ、ステップＳ８に移行して退出口９を施錠する。ステップＳ９において、タイマー２が経過時間をカウントし、所定時間（１０分程度、時間は設定自在）が経過すると、ステップＳ１０に移行して、全ての電源が落とされる。前記ステップＳ７において、退出した従業員等が周囲の異常に気づき非常事態に遭遇すると、壁面の非常スイッチ６あるいは携帯の移動スイッチ６’を操作する（ステップＳ１１）。本発明の監視機能の作動中（つまりステップＳ１２にて屋外のランプ３等が点灯作動中）であれば、即座にステップＳ１３において警察や警備会社等の外部の防犯施設等に警報信号を送出する。
【００１２】
あるいは、前記ステップＳ１２において本発明の監視機能がスリープの状態にあって屋外のランプ３が消灯している場合（何らかの理由により前記所定時間経過後に店舗等に戻った従業員が非常事態に遭遇した場合）で、携帯移動型スイッチ６’を操作した場合には、操作スイッチ１の機能を付加された携帯移動型スイッチ６’が装置を再スタートさせて遅延時間の延長を伴い、ステップＳ１６にて屋外のランプ３を点灯させた後に、ステップＳ１３に移行して非常通報を行うこともできる。非常通報の後（あるいは同時に、ステップＳ１４にてスピーカー７（大音量のブザー等も可）を鳴動させる。その鳴動内容は、例えば「１１０番通報中、１１０番通報完了」等適宜のものが選定できる。また、パトロールライトの回転点滅等の照明器具を併用することも可能である。そして、ステップＳ１５にて所定時間が経過すると、通報動作が停止して電源が落ちる（ステップＳ１０）。なお、壁面への固定型非常スイッチ６には悪戯防止のため、操作スイッチ１の機能は付加されない。
【００１３】
図２は本発明の退出安全確認装置の第２実施の形態を示す全体図である。本実施の形態のものは、屋外部品と屋内部品とを取りまとめてユニット化して構成したものである。つまり、屋内部品を装置ユニット１０として１つの制御ユニットとし、該装置ユニット１０に屋外部品であるランプ３、スピーカー７、非常スイッチ６およびカメラ４を接続可能に構成したものである。装置ユニット１０内には、屋内部品である通報部８、モニター５、タイマー部２および操作スイッチ１（本装置を単純に作動させる操作スイッチとしての操作スイッチの他、点灯スイッチの消灯操作に連動して本装置を作動させるように構成することもできる）、あるいは照度センサーのゼロを検出して本装置を作動させるようにする照度センサー１１が収容される。
【００１４】
以上、本発明の実施の形態を説明してきたが、本発明の趣旨の範囲内で、本装置の作動開始形態（操作スイッチの押動、消灯スイッチの消灯操作との連動、照度センサーのゼロ検出その他適宜の形態）、ランプの形状、形式（ハロゲンランプその他）およびその設置場所、カメラの形状、形式およびその設置場所、モニターの形状、形式およびその設置場所、非常スイッチの形状、形式（固定式、移動式、スイッチ自体も鳴動してもよい）およびその設置場所、警報信号が送出される防犯施設の種類（警察、警備会社、消防等）、スピーカーの形状、形式（メロディや鳴動のみのブザー、音声による拡声内容が録音できるもの、選定できるもの等、また、パトロールランプが併用動作できるもの等）およびその設置場所、タイマーの形状、形式およびその設置場所、各部品間の接続形態等は適宜選定できる。
【００１５】
【発明の効果】
以上、詳細に説明したように、本発明によれば、操作スイッチの押動によりあるいは屋内の消灯を検出して、屋外の退出口近傍を照射するランプと、屋外の退出口近傍を撮影するカメラと、該カメラに接続され室内に設置されたモニターと、屋外の退出口近傍に設置された非常スイッチとから構成された退出安全確認装置としたので、操作スイッチの操作あるいは室内を消灯するだけの単純な操作のみで、退出時の安全確認と万一の非常時の通報動作が行える監視機能を維持することができて、煩雑なスイッチ操作に煩わされることがない。
【００１６】
また、前記非常スイッチの操作により、警報信号を防犯施設に送出するとともにスピーカーを鳴動させる通報部を具備する場合は、退出時に万一の非常事態に遭遇しても、スピーカーの鳴動による不審者の撃退と、迅速な防犯施設への通報と、必要ならばランプ照射の下でのカメラ映像の明瞭な録画も可能となる。さらに、前記非常スイッチが、無線電波等により前記通報部を作動させることが可能な携帯移動型に構成された場合は、店舗等から離れた位置や事後に店舗等に戻った場合等に不審者に襲われた場合でも、迅速なるスピーカーの鳴動による不審者の撃退と、迅速な防犯施設への通報が可能となる。
【００１７】
さらにまた、前記ランプ、カメラ、モニターおよびスピーカーの電源は、所定時間の経過後に切断されるように構成された場合は、退出時にのみ諸機材の電源が投入されるので省エネルギーに寄与できる。また、前記携帯移動型の非常スイッチに、前記操作スイッチの機能を付加した場合は、事後で所定時間の経過後に店舗等に戻った場合等に不審者に襲われた場合でも、遅延時間の延長を伴う装置の再スタートにより、ランプ照射の下でのカメラ映像の入手や、スピーカーの鳴動による不審者の撃退および迅速な防犯施設への通報が可能となる。かくして、煩雑なスイッチ類の操作に煩わされることなく、従業員の退出が完了するまで監視機能が持続される退出安全確認装置が提供される。
【図面の簡単な説明】
【図１】本発明の退出安全確認装置の第１実施の形態を示す概念図である。
【図２】本発明の退出安全確認装置の第２実施の形態を示す全体図である。
【図３】本発明の退出安全確認装置の制御フロー図である。
【符号の説明】
１      操作スイッチ
２      タイマー
３      ランプ（ハロゲンランプ等）
４      カメラ
５      モニター
６      非常スイッチ
６’    携帯移動型スイッチ
７      スピーカー
８      通報部
９      退出口
１０      装置ユニット
１１      照度センサー
【図１】
2004318253.tif 000003
【図２】
2004318253.tif 000004
【図３】
2004318253.tif 000005
【手続補正書】
【提出日】平成15年4月21日(2003.4.21)
【手続補正１】
【補正対象書類名】図面
【補正対象項目名】全図
【補正方法】変更
【補正の内容】
【図１】
2004318253.tif 000006
【図２】
2004318253.tif 000007
【図３】
2004318253.tif 000008